(57)【要約】【課題】浴槽水に炭酸ガスを溶解する装置において、未溶解または分離した炭酸ガスが大気中に放出することを防ぐ。【解決手段】炭酸ガス溶解装置において、製造した高濃度炭酸水の放流点前に気液分離槽を設け、分離した分離ガスをインゼクタターに強制的に吸引させて、配管内にて浴槽水に再溶解する。【選択図】        図１
2004305286.tif 000002
【特許請求の範囲】
【請求項１】
浴槽から取り出した第一の浴槽水に炭酸ガスを溶解させ、前記第一の浴槽水を前記浴槽に返送する前段で気液分離槽に導き、分離したガスをインゼクタによって吸引して前記浴槽から取り出した第二の浴槽水に注入し、前記第二の浴槽水を前記気液分離槽または前記浴槽に導く炭酸ガスの溶解方法。
【請求項２】
浴槽から取り出した第一の浴槽水に炭酸ガスを溶解させ、前記第一の浴槽水を前記浴槽に返送する前段で気液分離槽に導き、分離したガスをインゼクタによって吸引して前記浴槽から取り出した第二の浴槽水に注入し、前記第二の浴槽水を前記気液分離槽または前記浴槽に導く炭酸ガス溶解装置。
【請求項３】
請求項２において、第一の浴槽水への炭酸ガスの溶解手段にインゼクタを使用する炭酸ガス溶解装置
【請求項４】
浴槽水のｐＨを測定し、ｐＨ値によって炭酸ガス注入量を制御することを特徴とする請求項２および３に記載の炭酸ガス溶解装置
【発明の詳細な説明】
【０００１】
【発明の属する技術分野】
本発明は温浴施設、特に、浴槽内の入浴水に溶解させた炭酸ガスによって疲労回復や健康増進に貢献し得るようにした温浴施設に関するものである。
【０００２】
【従来の技術】
遊離炭酸を含有する炭酸水に入浴すると、該炭酸水内の炭酸成分が皮膚下の毛細血管に作用して該毛細血管を拡張させ、これにより入浴者の血行が改善されて該入浴者の疲労回復や健康増進が図れる。かかる疲労回復等を図るべく浴槽水に炭酸を溶解するための方法として、例えば、炭酸ガスボンベからの炭酸ガスをインゼクタによって浴槽水に注入溶解する方法、特開２００１−５８７２５号公報に記載されている炭酸ガスボンベからの炭酸ガスを中空糸膜によって溶解する方法がある。これまでの炭酸ガスの注入装置においては、炭酸ガス注入および溶解後、未溶解の炭酸ガスや溶解後に水中から分離した炭酸ガスは大気解放により空気中に放散させていた。
【０００３】
【特許文献】
特開２００１−５８７２５号公報
【０００４】
【発明が解決しようとする課題】
炭酸ガス溶解装置において、水中に高濃度または飽和濃度以上に溶解された炭酸ガスは、搬送される配管途中においても、水中から分離しやすい状態にあり、浴槽への放流点に於いては高濃度炭酸水と共に分離ガスが放出される。炭酸ガス溶解後に分離したガスを大気中に放散させていると、炭酸ガスの無駄使いであると同時に、密閉した室内の場合、酸素欠乏に至る危険性を秘めていた。また地球温暖化の原因ともなる。
【０００５】
【課題を解決するための手段】
炭酸ガス溶解装置において、製造した高濃度炭酸水の放流点前に気液分離槽を設け、分離したガスはインゼクタターに強制的に吸引させて、配管内にて浴槽水に再溶解し、高濃度炭酸水は浴槽に返送する。気液分離槽で分離したガスを再溶解させた浴槽水は浴槽に戻すか、再度気液分離槽に導きガスを利用すればさらに放散する炭酸ガスを減らし、炭酸ガスの有効利用が図れる。
【０００６】
【発明の実施の形態】
以下、図１に示す実施形態により本発明をさらに詳細に説明する。なお、これにより本発明が限定されるものではない。
図１は本発明による炭酸ガス溶解装置を示したものである。矢印は水またはガスが配管内を流れる方向を示す。浴槽１から配管により浴槽水をポンプ１０により取り出し、第一の浴槽水循環配管６を通して炭酸ガス溶解機２に流入させる。炭酸ガス溶解機２においては、図示されていない炭酸ガスボンベからの炭酸ガスを膜やインゼクタを使用して浴槽水に溶解させる。炭酸ガス溶解機２通過後の炭酸ガス濃度の高い浴槽水は気液分離槽４に流入させる。気体の炭酸ガスを気液分離槽４において分離し、浴槽水は浴槽１に返送する。
【０００７】
気液分離槽４で分離されたガスをインゼクタ３で吸引し、第二の浴槽水循環配管５の浴槽水に再溶解させる。再溶解させた浴槽水は図１に示すように第一の浴槽水循環配管６と合流させて再度気液分離槽４に流入させる。この際、再溶解させた浴槽水は、そこから放散する炭酸ガスが少ないため、気液分離槽４には戻さず浴槽に流入させてもよい。気液分離槽４からのガスを浴槽水に再溶解することにより、大気中に放散する炭酸ガスを減少させることができる。
【０００８】
【実施例】
図２に実施例を示す。矢印は水またはガスが配管内を流れる方向を示す。浴槽１からオーバーフローした浴槽水はヘアキャッチャー３２を通過し、ろ過ポンプ３３で加圧され、次亜注入装置３４で次亜塩素酸ナトリウムを添加して消毒し、ろ過装置３５により濁質を除く。ろ過装置３５の後段で配管を分岐し、浴槽水を加圧ポンプ１０ａおよび昇温機３７に導く。加圧ポンプ１０ａで加圧された浴槽水はバルブ２６ａを通り、インゼクタ２５において炭酸ガスボンベ２１からの炭酸ガスを注入される。昇温機３７に導かれた浴槽水は入浴に適当な水温まで加温され、インゼクタ２およびインゼクタ２５からの浴槽水と混合され、気液分離槽４に流入する。
【０００９】
気液分離槽４においては、流入した浴槽水から未溶解または分離したガスを浴槽水から分離し、浴槽水は浴槽１に返送し、分離ガス９はインゼクタ２が発生する負圧によって吸引し、再びバルブ７ａを通過した浴槽水に溶解させる。インゼクタ２により分離ガス９を溶解した浴槽水はインゼクタ２５からの浴槽水と合流して浴槽に返送される前段で気液分離槽４に流入する。このように気液分離槽４で分離したガスをインゼクタ２で再溶解することにより、大気中へ放散する炭酸ガス量を減らすことができる。
【００１０】
インゼクタ２で分離ガス９を溶解させた浴槽水は、インゼクタ２５を通過した浴槽水に比べ未溶解の炭酸ガスや分離する炭酸ガス量が少ないので直接浴槽１に返送してもよい。ただし、この場合は炭酸ガスの大気への放散を防止する効果は少し低下する。
【００１１】
炭酸ガスボンベからの炭酸ガスの注入においては、炭酸ガスボンベ２１の炭酸ガスの圧力を減圧弁・加温機２３ａによって０．２〜０．７Ｍｐ程度に減圧し、さらに減圧弁・加温機２３ｂによって−８０ｍｍＨｇ程度に減圧する。減圧の際は加温機によって必要となる熱量を補給する。次いで、炭酸ガス流量を流量調節機２４で調節し、インゼクタ２５に導く。炭酸ガス注入時は浴槽水１Ｌに炭酸ガス２００ｍｇから６００ｍｇを注入する。
【００１２】
浴槽水の炭酸ガス濃度が上昇すると浴槽水のｐＨ値は低くなり、炭酸ガスが飽和濃度に達するとｐＨ値はそれ以上低下しない。このため、あらかじめ浴槽水のｐＨ値と炭酸ガス濃度の関係を調べることによって、ｐＨ値から浴槽水の炭酸ガス濃度を目標値に制御することができる。ｐＨ計の設置場所は浴槽水の水圧が低くて気体を含まないほうが望ましいので、加圧ポンプ１０ａから気液分離槽４の間ではないほうが望ましい。本実施例ではｐＨ計はろ過装置３５と昇温機３７の間に設置してある。所定のｐＨ値以下、例えばｐＨ４．７になるとに、自動バルブ２７が閉となるようにし、所定のｐＨ値以上、例えばｐＨ５．０になると自動バルブ２７が開となり炭酸ガスの注入が再開されるようにする。炭酸ガスボンベ２１からの炭酸ガス注入をｐＨ計３６と自動バルブ２７で制御することにより、無駄になる炭酸ガスを減らすことが可能となる。
【００１３】
【発明の効果】
炭酸ガスの無駄使いを省き、高濃度炭酸水を効率良く製造する事が出来る。大気に放散する炭酸ガスが少なくなる為、酸素欠乏の危険性が無くなる。
【図面の簡単な説明】
【図１】本発明の実施の形態を示す構成図である。
【図２】本発明の実施例を示す構成図である。
【符号の説明】
１  浴槽
２  炭酸ガス溶解機
３  インゼクタ
４  気液分離槽
９  分離ガス
１０  ポンプ
１０ａ  加圧ポンプ
２１  炭酸ガスボンベ
２５  インゼクタ
３３  ろ過ポンプ
３６  ｐＨ計
３７  昇温機
【図１】
2004305286.tif 000003
【図２】
2004305286.tif 000004